(57)【要約】【課題】ネットワーク装置と通信中の通信端末をリセットさせる必要が生じた際に、通信端末とネットワーク装置の通信状態の不一致を早く解消する。【解決手段】通信端末は、端末全体の制御を行う主制御部と、主制御部のリセットを制御するリセット制御部と、リセット制御部が自端末で発生したリセット要求信号を受けて主制御部をリセットする前に、自端末とネットワーク装置間で確立されていた通信接続状態を切断させる通信切断メッセージをネットワーク装置に送出する通信切断制御部と、を備える。【選択図】図１
2014138255.tif 000002
【特許請求の範囲】
【請求項１】
端末全体の制御を行う主制御部と、
前記主制御部のリセットを制御するリセット制御部と、
前記リセット制御部が自端末で発生したリセット要求信号を受けて前記主制御部をリセットする前に、自端末とネットワーク装置間で確立されていた通信接続状態を切断させる通信切断メッセージを前記ネットワーク装置に送出する通信切断制御部と、
を備えたことを特徴とする通信端末。
【請求項２】
フリーズ検知用タイマをさらに備え、
前記フリーズ検知用タイマは、タイマ満了を検知して前記リセット要求信号を発生することを特徴とする請求項１に記載の通信端末。
【請求項３】
前記通信切断制御部は、前記通信切断メッセージの送出が完了したことを示す通信切断メッセージ送出完了信号を出力し、
前記リセット制御部は、前記通信切断メッセージ送出完了信号を受けて、前記主制御部をリセットすることを特徴とする請求項１または２に記載の通信端末。
【請求項４】
通信種別が所定の通信種別である場合に、前記通信切断制御部による前記通信切断メッセージの送出を行わないことを特徴とする請求項１または２に記載の通信端末。
【請求項５】
前記通信切断制御部は、前記主制御部が備える第１ＣＰＵと異なる第２ＣＰＵにより制御されることを特徴とする請求項１または２に記載の通信端末。
【請求項６】
通信端末と、
前記通信端末が接続するネットワークに含まれるネットワーク装置と、
を備えた通信システムであって、
前記通信端末は、
端末全体の制御を行う主制御部と、
前記主制御部のリセットを制御するリセット制御部と、
前記リセット制御部が自端末で発生したリセット要求信号を受けて前記主制御部をリセットする前に、自端末と前記ネットワーク装置間で確立されていた通信接続状態を切断させる通信切断メッセージを前記ネットワーク装置に送出する通信切断制御部と、
を備えたことを特徴とする通信システム。
【請求項７】
前記ネットワーク装置は、前記通信端末から前記通信切断メッセージを受けた場合、前記通信端末に対するリソースを開放することを特徴とする請求項６に記載の通信システム。
【請求項８】
通信端末とネットワーク装置間の通信状態を管理する通信方法であって、
前記通信端末で発生したリセット要求信号を受けて前記通信端末をリセットする前に、前記通信端末と前記ネットワーク装置間で確立されていた通信接続状態を切断させる通信切断メッセージを前記ネットワーク装置に送出する通信切断メッセージ送出ステップと、
前記通信切断メッセージ送出ステップ後に、前記通信端末をリセットするステップと、
を含むことを特徴とする通信方法。
【請求項９】
前記通信端末が備えるフリーズ検知タイマのタイマ満了により前記リセット要求信号を発生するステップをさらに含むことを特徴とする請求項８に記載の通信方法。
【請求項１０】
通信端末で発生したリセット要求信号を受けて前記通信端末をリセットする前に、前記通信端末とネットワーク装置間で確立されていた通信接続状態を切断させる通信切断メッセージを前記ネットワーク装置に送出する処理と、
前記通信切断メッセージの送出が完了したことを示す通信切断メッセージ送出完了信号を出力する処理と、
をコンピュータに実行させることを特徴とするプログラム。
【発明の詳細な説明】
【技術分野】
【０００１】
本発明は、通信端末、通信システム、通信方法、及びプログラムに関する。特に、本発明は、ネットワークに接続する通信端末の通信状態を管理する技術に関する。
【背景技術】
【０００２】
近年、スマートフォンに代表される携帯端末の普及により、携帯電話網等のネットワークの負荷が増大し、それに伴って遅延、接続障害、システムのダウン等の不具合が発生する問題が生じている。そのため、ネットワークの負荷をなるべく抑えることが求められている。
【０００３】
例えば、ネットワークに接続された端末が、通信中に不具合によりリセットが発生すると、該端末は非通信状態に戻るが、ネットワーク側のネットワーク装置（例えば、交換機）には該端末がリセットしたという情報が通知されないため、ネットワーク装置は該端末との通信を維持し、該端末との通信用に確保したリソースを消費し続けてしまう。このような状態が続くとネットワーク装置に想定外の負荷が発生し、重大な事故に繋がる虞がある。そのため、端末とネットワーク装置の通信状態の不一致は極力防ぐ必要がある。
【０００４】
特許文献１には、移動通信端末とネットワーク装置間の通信状態の不一致を早く解消し、ネットワーク装置側でリソースを有効活用する移動通信システムが開示されている。該移動通信システムでは、移動通信端末が通信接続状態（通信接続が確立された状態）から通信圏外に移行した場合に、移動通信端末は通信接続状態から通信待受状態（通信接続を確立しうる状態）に遷移する。その後、移動通信端末が通信圏内に戻ると、移動通信端末とネットワーク装置は無線接続を再確立する。無線接続が再確立されると、移動通信端末は、自身が通信待受状態であることを示す信号を当該無線接続を介してネットワーク装置に送信する。ネットワーク装置は、該信号により移動通信端末の通信状態が通信待受状態であるという情報を得ることができ、移動通信端末とネットワーク装置間の通信状態の不一致が解消される。
【先行技術文献】
【特許文献】
【０００５】
【特許文献１】特開２００８−２８９０７９号公報
【発明の概要】
【発明が解決しようとする課題】
【０００６】
以下の分析は、本発明の観点から与えられる。
【０００７】
しかしながら、特許文献１は、端末が通信圏外に移行してネットワーク装置との通信ができなくなった場合に通信状態の不一致をなるべく早く解消することについて開示しているが、不具合等の発生により端末をリセットする必要が生じた場合に通信状態の不一致を解消することについては、検討されていない。
【０００８】
本発明は、ネットワーク装置と通信中の通信端末をリセットさせる必要が生じた際に、通信端末とネットワーク装置の通信状態の不一致を早く解消することに貢献しうる通信端末を提供することを課題とする。
【課題を解決するための手段】
【０００９】
本発明の第１の視点による通信端末は、端末全体の制御を行う主制御部と、前記主制御部のリセットを制御するリセット制御部と、前記リセット制御部が自端末で発生したリセット要求信号を受けて前記主制御部をリセットする前に、自端末とネットワーク装置間で確立されていた通信接続状態を切断させる通信切断メッセージを前記ネットワーク装置に送出する通信切断制御部と、を備える。
【００１０】
本発明の第２の視点による通信システムは、通信端末と、前記通信端末が接続するネットワークに含まれるネットワーク装置と、を備えた通信システムである。前記通信端末は、端末全体の制御を行う主制御部と、前記主制御部のリセットを制御するリセット制御部と、前記リセット制御部が自端末で発生したリセット要求信号を受けて前記主制御部をリセットする前に、自端末と前記ネットワーク装置間で確立されていた通信接続状態を切断させる通信切断メッセージを前記ネットワーク装置に送出する通信切断制御部と、を備える。
【００１１】
本発明の第３の視点による通信方法は、通信端末とネットワーク装置間の通信状態を管理する通信方法であって、以下のステップを含む。即ち、該通信方法は、前記通信端末で発生したリセット要求信号を受けて前記通信端末をリセットする前に、前記通信端末と前記ネットワーク装置間で確立されていた通信接続状態を切断させる通信切断メッセージを前記ネットワーク装置に送出する通信切断メッセージ送出ステップを含む。さらに、該通信方法は、前記通信切断メッセージ送出ステップ後に、前記通信端末をリセットするステップを含む。
【００１２】
本発明の第４の視点によるプログラムは、通信端末で発生したリセット要求信号を受けて前記通信端末をリセットする前に、前記通信端末とネットワーク装置間で確立されていた通信接続状態を切断させる通信切断メッセージを前記ネットワーク装置に送出する処理と、前記通信切断メッセージの送出が完了したことを示す通信切断メッセージ送出完了信号を出力する処理と、をコンピュータに実行させる。
【発明の効果】
【００１３】
本発明によれば、ネットワーク装置と通信中の通信端末をリセットさせる必要が生じた際に、通信端末とネットワーク装置の通信状態の不一致を早く解消することに貢献しうる通信端末を提供することができる。
【図面の簡単な説明】
【００１４】
【図１】第１の実施形態に係る通信端末の機能構成を示すブロック図である。
【図２】第１の実施形態に係る通信端末のハードウェア構成を示すブロック図である。
【図３】第１の実施形態に係る通信端末の動作を示すフローチャートである。
【図４】第１の実施形態に係る通信端末の通信切断制御部の動作を示すフローチャートである。
【図５】第１の実施形態に係る通信システムを説明するための図である。
【図６】第２の実施形態に係る通信端末の動作を示すフローチャートである。
【図７】従来技術の問題点を説明するための図である。
【発明を実施するための形態】
【００１５】
まず、本発明の一実施形態の概要について説明する。なお、実施形態の概要の説明において付記した図面参照符号は専ら理解を助けるための例示であり、図示の態様に限定することを意図するものではない。
【００１６】
一実施形態における通信端末１は、図１に示すように、端末全体の制御を行う主制御部２と、主制御部２のリセットを制御するリセット制御部４と、リセット制御部４が自端末で発生したリセット要求信号Ｃ２を受けて主制御部２をリセットする前に、自端末とネットワーク装置（図５の１９）間で確立されていた通信接続状態を切断させる通信切断メッセージＣ４をネットワーク装置（図５の１９）に送出する通信切断制御部５と、を備える。
【００１７】
上記の構成によれば、ネットワーク装置（図５の１９）との通信接続状態が確立された通信端末１を不具合等によりリセットさせる必要が生じた際に、リセットする前に、通信切断制御部５が通信切断メッセージＣ４をネットワーク装置（図５の１９）に送出している。ネットワーク装置（図５の１９）は通信切断メッセージＣ４に基づいて、通信端末１とネットワーク装置（図５の１９）間の通信状態を通信切断状態に遷移させることができるから、通信端末１とネットワーク装置（図５の１９）間の通信状態の不一致を早く解消することができる。
【００１８】
上記通信端末１は、フリーズ検知用タイマ３をさらに備え、フリーズ検知用タイマ３は、タイマ満了を検知してリセット要求信号Ｃ２を発生するようにしてもよい。
【００１９】
上記通信端末１の上記通信切断制御部５は、通信切断メッセージＣ４の送出が完了したことを示す通信切断メッセージ送出完了信号Ｃ５を出力し、上記リセット制御部４は、通信切断メッセージ送出完了信号Ｃ５を受けて、主制御部２をリセットするようにしてもよい。
【００２０】
上記通信端末１において、通信種別が所定の通信種別である場合に、上記通信切断制御部５による通信切断メッセージＣ４の送出を行わないようにしてもよい。
【００２１】
上記通信切断制御部５は、主制御部２が備える第１ＣＰＵ（図２の１１）と異なる第２ＣＰＵ（図２の１２）により制御されるようにしてもよい。
【００２２】
一実施形態における通信システムは、図５に示すように、通信端末１と、通信端末１が接続するネットワーク１０２に含まれるネットワーク装置１９と、を備えた通信システムである。通信端末１は、図１に示すように、端末全体の制御を行う主制御部２と、主制御部２のリセットを制御するリセット制御部４と、リセット制御部４が自端末で発生したリセット要求信号Ｃ２を受けて主制御部２をリセットする前に、自端末とネットワーク装置（図５の１９）間で確立されていた通信接続状態を切断させる通信切断メッセージＣ４をネットワーク装置（図５の１９）に送出する通信切断制御部５と、を備える。
【００２３】
上記ネットワーク装置（図５の１９）は、通信端末１から通信切断メッセージＣ４を受けた場合、通信端末１に対するリソースを開放することが好ましい。
【００２４】
一実施形態における通信方法は、図１、図３のいずれかに示すように、通信端末（図５の１）とネットワーク装置（図５の１９）間の通信状態を管理する通信方法であって、以下のステップを含む。即ち、該通信方法は、通信端末１で発生したリセット要求信号Ｃ２を受けて通信端末１をリセットする前に、通信端末１とネットワーク装置（図５の１９）間で確立されていた通信接続状態を切断させる通信切断メッセージＣ４をネットワーク装置（図５の１９）に送出する通信切断メッセージ送出ステップ（Ｓ４０５等）を含む。また、該通信方法は、上記通信切断メッセージ送出ステップ後に、通信端末１をリセットするステップを含む（Ｓ４０６）。
【００２５】
上記通信方法は、図３に示すように、通信端末１が備えるフリーズ検知タイマ３のタイマ満了によりリセット要求信号Ｃ２を発生するステップ（Ｓ４０１、Ｓ４０２）をさらに含むようにしてもよい。
【００２６】
一実施形態におけるプログラムは、例えば、通信切断制御部（図１の５）が備える第２ＣＰＵ（図２の１２）に実行させるプログラムである。該プログラムは、図１、図４のいずれかに示すように、通信端末１で発生したリセット要求信号Ｃ２を受けて通信端末１をリセットする前に、通信端末１とネットワーク装置（図５の１９）間で確立されていた通信接続状態を切断させる通信切断メッセージＣ４をネットワーク装置（図５の１９）に送出する処理（Ｓ５０３等）と、通信切断メッセージＣ４の送出が完了したことを示す通信切断メッセージ送出完了信号Ｃ５を出力する処理（Ｓ５０４）と、をコンピュータに実行させる。
【００２７】
以下、本発明の各実施形態について、図面を参照して詳しく説明する。
【００２８】
（第１の実施形態）
第１の実施形態について、図１、図２を参照しながら詳細に説明する。図１は第１の実施形態に係る通信端末の機能構成を示すブロック図である。また、図２は通信端末のハードウェア構成を示すブロック図である。ここで、通信端末は、例えば、スマートフォン１である。
【００２９】
まず、図２を参照しながらスマートフォン１のハードウェア構成について説明する。図２に示すように、スマートフォン１は第１ＣＰＵ（Central Processing Unit）１１と第２ＣＰＵ１２の２つのＣＰＵを備えている。ここで、第１ＣＰＵ１１は、主制御部（図１の２）が備えるＣＰＵであり、スマートフォン１全体を制御している。一方、第２ＣＰＵ１２は、通信切断制御部（図１の５）が備えるＣＰＵであり、通信切断メッセージＣ４の送出等を制御している（詳細は後述）。
【００３０】
図２に示すように、第１ＣＰＵ１１が制御するバス上に、メモリ１３、表示制御部１４、タッチパネル制御部１５、無線通信部２６が接続されている。メモリ１３は、ＲＡＭ（Random Access Memory）又はＲＯＭ（Read Only Memory）で構成され、第ＣＰＵ１１が実行するプログラム、該プログラムが使用するデータ等を格納している。メモリ１３に格納されたプログラム及びデータは、第１ＣＰＵ１１により適宜読み出される。
【００３１】
表示制御部１４は、ＬＣＤ（Liquid Crystal Display）パネルで構成される表示部２４の表示動作を制御している。また、タッチパネル制御部１５は、タッチパネル２５を制御し、ユーザによる操作入力を行っている。
【００３２】
無線通信部２６は、移動体ネットワーク（図５の１０２）を接続対象とし、アンテナ１０を介して無線信号を移動体ネットワーク（図５の１０２）のネットワーク装置（図５の１９）と送受信する。
【００３３】
次に、図１を参照しながらスマートフォン１の機能構成について説明する。スマートフォン１は、図１に示すように、主制御部２、フリーズ検知用タイマ３、リセット制御部４、通信切断制御部５、ベースバンド・無線周波数変換部６、アンテナ１０を含んで構成される。主制御部２は、第１ＣＰＵ１１を備え、前述したようにスマートフォン１全体を制御している。
【００３４】
フリーズ検知用タイマ３は、主制御部２から供給されるリスタート信号Ｃ１によりリスタートされるタイマである。主制御部２が正常動作している間は常にリスタートが行われるため、フリーズ検知用タイマ３は満了しない。主制御部２が不具合等により動作不能に陥るとフリーズ検知タイマ３がリスタートされなくなり、タイマ満了へ至る。このようにして、フリーズ検知タイマ３は、主制御部２の動作不良を検知している。フリーズ検知タイマ３が満了した場合には、主制御部２を正常状態に戻すにはリセットしなければならず、フリーズ検知タイマ３は、図１に示すように、リセット制御部４にリセット要求信号Ｃ２を送出する。
【００３５】
リセット制御部４は、リセット要求信号Ｃ２に応じてスマートフォン１をリセットする制御を行う。リセット制御部４は、スマートフォン１をリセットする直前に、通信切断メッセージ送出要求信号Ｃ３を送出する。具体的には、リセット制御部４は、通信切断メッセージ送出要求信号Ｃ３により、スマートフォン１との間で確立していた通信接続状態を切断させる通信切断メッセージＣ４を移動体ネットワーク１０２のネットワーク装置１９に送出するように、通信切断制御部５に要求している。
【００３６】
通信切断制御部５は、前述したように第２ＣＰＵ（図２の１２）を備え、プログラムにより動作する。通信切断制御部５は、上記した通信切断メッセージ送出要求信号Ｃ３をリセット制御部４より受けて、スマートフォン１とネットワーク装置１９間で確立されていた通信状態を切断させる通信切断メッセージＣ４をベースバンド・無線周波数変換部６に送出する。
【００３７】
ベースバンド・無線周波数変換部６は、無線通信部（図２の２６）が備えた機能であり、通信切断メッセージＣ４を無線周波数帯域の信号に変換し、無線送信信号にする機能を果たしている。ベースバンド・無線周波数変換部６によって変換された無線送信信号は、アンテナ１０を介して送信される。
【００３８】
また、通信切断制御部５は、通信切断メッセージＣ４の送出が完了したことを示す通信切断メッセージ送出完了信号Ｃ５をリセット制御部４に返している。リセット制御部４は、通信切断メッセージ送出完了信号Ｃ５を受けて、主制御部２を含むスマートフォン１全体をリセットさせるリセット信号Ｃ６を送出する。そして、リセット信号Ｃ６によりスマートフォン１がリセットされる。
【００３９】
次に、第１の実施形態のより詳細な動作を説明する前に、図７を参照しながら、従来技術の問題点について説明する。図７は、スマートフォン１０１が移動体ネットワーク１０２と接続して通信する場合を示している。移動体ネットワーク１０２は、スマートフォン１０１と無線送受信する基地局（不図示）、ネットワーク装置１０９等を含んでいる。ここで、移動体ネットワーク１０２は、例えば、携帯電話網であり、ネットワーク装置１０９は、例えば、基地局無線通信装置である。
【００４０】
スマートフォン１０１とネットワーク装置１０９を含む通信システムは、例えば、３ＧＰＰ（Third Generation Partnership Generation）に対応していると想定する。この場合、スマートフォン１０１とネットワーク装置１０９は、３ＧＰＰに記載されている手順に従って、通信確立、通信切断等の手続きを行う。
【００４１】
まず、スマートフォン１０１と移動体ネットワーク１０２のネットワーク装置１０９間で３ＧＰＰの手順による通信接続が確立された状態、即ち、通信接続状態であったとする。この場合、スマートフォン１０１側、ネットワーク装置１０９側のいずれにおいても、スマートフォン１０１とネットワーク装置１０９間は通信接続状態であるとされる。即ち、スマートフォン１０１側とネットワーク装置１０９側で通信状態が一致している。ここで、スマートフォン１０１に何らかの不具合が発生し、スマートフォン１０１に端末リセットが発生したとする。この場合、スマートフォン１０１は、リセットにより通信接続状態が切断されるので、図７に示すように、通信切断状態に遷移する。一方、ネットワーク装置１０９側の通信状態は通信接続状態のままとなっている。即ち、スマートフォン１０１側とネットワーク装置１０９側とで通信状態の不一致が生じる。
【００４２】
このように、ネットワーク装置１０９はスマートフォン１０１との通信状態を維持し、スマートフォン１０１との通信用に確保したリソースを消費し続けてしまう。このような状態が、他の通信端末に対しても発生すると、ネットワーク装置１０９に想定外の負荷が発生し、重大な事故に繋がる虞がある。
【００４３】
次に、第１の実施形態に戻り、図７で示した問題をどのように解決しているかについて、概要を説明する。図５は第１の実施形態に係る通信システムの概要を説明するための図である。図５に示すように、第１の実施形態の通信システムは、スマートフォン（通信端末）１と、スマートフォン１が接続する移動体ネットワーク１０２に含まれるネットワーク装置１９と、を備えている。図５中のスマートフォン１は、前述した図１、図２の構成及び機能を有しているものとする。
【００４４】
スマートフォン１とネットワーク装置１９を含む通信システムは、３ＧＰＰに対応しているとする。この場合、スマートフォン１とネットワーク装置１９は、３ＧＰＰに記載されている手順に従って、通信確立、通信切断等の手続きを行う。
【００４５】
図５において、時刻ｔ１でスマートフォン１とネットワーク装置１９間は、通信接続状態にあり、通信状態は一致している。続いて、時刻ｔ２にスマートフォン１に何らかの不具合が発生し、スマートフォン１にリセット要求信号Ｃ２が発生したとする。この場合、スマートフォン１は、図１で説明したように、スマートフォン１をリセットする直前に、通信切断制御部５から通信切断メッセージＣ４を送信するようにしている。
【００４６】
ここで、上記の通信切断メッセージＣ４は、３ＧＰＰで規定された通信切断の要求信号であり、ネットワーク装置１９側からは通常の通信終了時と同じ手続きに見える。通信切断メッセージＣ４を受けたネットワーク装置１９は、３ＧＰＰの手順に従って、スマートフォン１との間の通信を切断し（即ち、通信切断状態に遷移させ）、スマートフォン１との通信用に確保していたリソースの開放を行うことができる。
【００４７】
また、スマートフォン１は、通信切断メッセージＣ４を送出した後、リセットされる。図５において、時刻ｔ３では、スマートフォン１及びネットワーク装置１９は、共に通信切断状態に遷移し、スマートフォン１とネットワーク装置１９間の通信状態は一致する。以上のようにして、第１の実施形態の通信システムでは、図７の従来技術において通信状態の不一致が発生する問題を解消している。
【００４８】
次に、図３を参照しながら、第１の実施形態に係るスマートフォン１の動作について、より詳細に説明する。但し、図１を参照して説明済みの内容については、重複する説明を省略することがある。図３は、第１の実施形態に係るスマートフォン１の動作を示すフローチャートである。
【００４９】
図３において、フリーズ検知用タイマ３がタイマの満了を検出したか否かを判定する（Ｓ４０１）。ステップＳ４０１でＹｅｓの場合、即ち、タイマの満了を検出した場合には、ステップＳ４０２に進み、フリーズ検知用タイマ３からリセット制御部４へリセット要求信号Ｃ２を送出する（Ｓ４０２）。続いて、リセット制御部４から通信切断制御部５へ通信切断メッセージ送出要求信号Ｃ３を送出する（Ｓ４０３）。続いて、通信切断制御部５は、通信切断メッセージ送出要求信号Ｃ３を受けて、スマートフォン１が通信接続状態であるか否かを判定する（Ｓ４０４）。スマートフォン１が通信接続状態である場合（Ｓ４０４でＹｅｓの場合）には、通信切断制御部５からベースバンド・無線周波数変換部６へ通信切断メッセージＣ４を送出する（Ｓ４０５）。ベースバンド・無線周波数変換部６は、通信切断メッセージＣ４を無線周波数の送信信号に変調し、アンテナ１０から送信する。一方、スマートフォン１が通信接続状態でない場合（Ｓ４０４でＮｏの場合）には、通信切断メッセージＣ４を送出する必要がないため、ステップＳ４０５は行わない。リセット制御部４は、通信切断制御部５から通信切断メッセージ送出完了信号Ｃ５を受けて、スマートフォン１の各部（主制御部２、ベースバンド・無線周波数変換部６等）にリセット信号Ｃ６を送出することにより、スマートフォン１をリセットする（Ｓ４０６）。
【００５０】
図３には図示していないが、ネットワーク装置１９は、スマートフォン１から送出された通信切断メッセージＣ４を受けて、３ＧＰＰの手順に従って、スマートフォン１との通信を切断し（即ち、通信切断状態に遷移させ）、スマートフォン１との通信用に確保していたリソースの開放を行う。以上により、スマートフォン１側とネットワーク装置１９側とで、通信状態が一致し、ネットワーク装置１９は、無駄なリソースの消費を抑えることが可能になる。
【００５１】
次に、図４を参照しながら通信切断制御部５の動作について、より詳細に説明する。図４は、図３で示した動作のうち、通信切断制御部５の詳細な動作を示したフローチャートである。前述したように、通信切断制御部５は、第２ＣＰＵ１２により制御される。
【００５２】
図４において、通信切断制御部５は、図３のステップＳ４０３でリセット制御部４から送出された通信切断メッセージ送出要求信号Ｃ３を受信する（Ｓ５０１）。続いて、通信切断制御部５は、自端末が通信接続状態であるか否かを判定する（Ｓ５０２；図３のＳ４０４と同じである）。ステップＳ５０２でＹｅｓの場合には、図３のステップＳ４０５で示したように、通信切断制御部５は、通信切断メッセージＣ４をベースバンド・無線周波数変換部６に送出する。そして、通信切断制御部５は、送出した通信切断メッセージＣ４が無線送信されるようにベースバンド・無線周波数変換部６を制御する（Ｓ５０３）。ステップＳ５０２でＮｏの場合には、ステップＳ５０３は行わない。続いて、通信切断制御部５は、リセット制御部４へ通信切断メッセージ送出完了信号Ｃ５を送出する（Ｓ５０４）。
【００５３】
主制御部２の第１ＣＰＵ１１がフリーズし動作不能となった場合であっても、通信切断制御部５は、第１ＣＰＵ１１とは別の第２ＣＰＵ１２で動作するので、通信切断制御部５は、リセット制御部４、ベースバンド・無線周波数変換部６に対して、図４の各ステップの制御を行うことができる。
【００５４】
以上説明したように、第１の実施形態によれば、ネットワーク装置１９との通信接続状態が確立されたスマートフォン（通信端末）１を不具合等によりリセットさせる必要が生じた際に、リセットする前に、通信切断制御部５が通信切断メッセージＣ４をネットワーク装置１９に送出している。ネットワーク装置１９は通信切断メッセージＣ４を受けて、３ＧＰＰの手順に従って、スマートフォン（通信端末）１との通信を切断し、通信切断状態に遷移させることができるから、通信端末１とネットワーク装置１９間の通信状態の不一致を早く解消することができるという効果が得られる。
【００５５】
これにより、ネットワーク装置１９においてスマートフォン（通信端末）１との通信用に確保されていたリソースを開放することができ、無駄なリソースの消費を抑えることができるという効果が得られる。
【００５６】
また、無駄なリソースの消費が増大することにより、ネットワーク装置に想定外の負荷が発生し、重大な事故に繋がることを防ぐことができるという効果が得られる。
【００５７】
また、通信切断メッセージＣ４は３ＧＰＰで規定された要求信号で、ネットワーク装置１９（例えば、基地局無線通信装置）側からは、通常の通信終了と同じ手続きに見えるため、ネットワーク装置１９側には、新たな機能追加は必要とされない。従って、本実施形態で開示した機能を容易に実施することができるという効果が得られる。
【００５８】
また、ネットワーク装置１９側からは、スマートフォン（通信端末）１が異常状態であることが見えないため、スマートフォン（通信端末）１の不具合情報をネットワーク装置１０９側に隠蔽することができるという効果が得られる。
【００５９】
（第２の実施形態）
次に、第２の実施形態について、図６を参照しながら詳細に説明する。図６は第２の実施形態に係る通信端末の動作を示すフローチャートである。図６を図３（第１の実施形態）と比較すると分かるように、図６ではステップＳ４０７を新たに追加した点が図３に対して相違している。
【００６０】
図６のステップＳ４０７では、通信切断制御部５が通信種別を判別し、該通信種別が所定の通信種別である場合に、通信切断メッセージＣ４を送信しないようにしている。ここで所定の通信種別を、例えば、パケット通信とする。
【００６１】
パケット通信のように回線を占有しない通信の場合には、以下の理由により、第１の実施形態の通信切断メッセージＣ４の送出による通信切断状態への遷移をしないほうが好ましい。それは、通信状態を切断し、再接続させるための通信が却って負荷になることがあるためである。そこで、第２の実施形態では、通信種別がパケット通信の場合には、スマートフォン（通信端末）１は通信切断メッセージＣ４を送信せずに、スマートフォン（通信端末）１がリセットされ再起動が完了するのを待っている間、通信切断制御部５により通信接続状態を維持するようにしている。これにより、ネットワーク装置１９は通信切断手順から再接続手順までの処理を省くことができ、ネットワーク装置１９の負荷を抑えることができる。
【産業上の利用可能性】
【００６２】
本発明は、ネットワークに接続して通信する通信端末全般に適用することができる。通信端末としては、例えば、携帯電話、スマートフォン、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）等が含まれる。
【００６３】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６４】
１、１０１：スマートフォン（通信端末）
２：主制御部
３：フリーズ検知用タイマ
４：リセット制御部
５：通信切断制御部
６：ベースバンド・無線周波数変換部
１０：アンテナ
１１：第１ＣＰＵ
１２：第２ＣＰＵ
１３：メモリ
１４：表示制御部
１５：タッチパネル制御部
１９、１０９：ネットワーク装置
２４：表示部
２５：タッチパネル
２６：無線通信部
１０２：移動体ネットワーク（ネットワーク）
Ｃ１：リスタート信号
Ｃ２：リセット要求信号
Ｃ３：通信切断メッセージ送出要求信号
Ｃ４：通信切断メッセージ
Ｃ５：通信切断メッセージ送出完了信号
Ｃ６：リセット信号
【図１】
2014138255.tif 000003
【図２】
2014138255.tif 000004
【図３】
2014138255.tif 000005
【図４】
2014138255.tif 000006
【図５】
2014138255.tif 000007
【図６】
2014138255.tif 000008
【図７】
2014138255.tif 000009